(57)【特許請求の範囲】
【請求項１】
着用者の股下域に対向し、かつ当該股下域から前方に延びる前胴周り域と、
前記前胴周り域よりも後側に配置され、着用者の股下域に対向し、かつ当該股下域から後方に延びる後胴周り域と、
前記前胴周り域と前記後胴周り域に跨って配置される吸収体と、を備え、
前記吸収性物品の幅方向に沿った第１幅折り線を基点に折り畳まれた状態で、前記前胴周り域の外側縁と前記後胴周り域の外側縁とが接合されており、
前記前胴周り域の外側縁と前記後胴周り域の外側縁とが接合された状態で、前記吸収性物品の幅方向に沿った第２幅折り線を基点に折り畳まれる吸収性物品であって、
前記吸収体の厚さは、前記第２幅折り線を境界として変化する、吸収性物品。
【請求項２】
前記前胴周り域の吸収体は、前記第２幅折り線を基点に肌対向面側から非肌対向面側に向かって凸状に変形し、
前記後胴周り域の吸収体は、前記第２幅折り線を基点に非肌対向面側から肌対向面側に向かって凸状に変形し、
前記吸収性物品は、ショーツ型ナプキンであることを特徴とする、請求項１に記載の吸収性物品。
【請求項３】
前記後胴周り域における前記第２幅折り線よりも後側の厚さは、前記後胴周り域における前記第２幅折り線よりも前側の厚さよりも薄い、請求項２に記載の吸収性物品。
【請求項４】
前記前胴周り域の外側縁と前記後胴周り域の外側縁とが接合されたサイド接合部は、前記吸収性物品の前後方向に沿った前後折り線を基点に前記後胴周り域側へ幅方向内側に折り畳まれる、請求項２又は請求項３に記載の吸収性物品。
【請求項５】
前記吸収体が厚み方向に圧搾され、かつ前記吸収性物品の前後方向の中心から前後方向に延びる股下圧搾部が形成されており、
前記前胴周り域の前記第２幅折り線と前記後胴周り域の前記第２幅折り線とのうち少なくともいずれか一方は、前記股下圧搾部に形成されない、請求項１から請求項４のいずれかに記載の吸収性物品。
【請求項６】
前記前胴周り域及び前記後胴周り域の少なくとも一部には、前記幅方向に伸縮性を有する伸縮領域が設けられており、
前記伸縮領域と重なる吸収体には、厚み方向に面状に圧搾された面状圧搾部が形成されている、請求項１から請求項５のいずれかに記載の吸収性物品。
【請求項７】
前記吸収性物品は、包装シートによって個別に包装される、請求項４に記載の吸収性物品。
【発明の詳細な説明】
【技術分野】
【０００１】
本発明は、吸収性物品に関する。
【背景技術】
【０００２】
吸収性物品は、携帯や収納を容易に行うために、小型化が求められている。特に、ショーツ型ナプキン、使い捨ておむつ等の吸収性物品は、下着に装着する生理用ナプキンと比較して吸収性物品の容積が大きいため、小型化の要望が高い。このような背景から、折り畳まれた状態で包装された吸収性物品が提供されている（例えば、特許文献１参照）。特許文献１の吸収性物品は、幅方向に沿った折り線を基点に折り畳まれて、包装材に収納されている（特許文献１の図１及び図２参照）。
【先行技術文献】
【特許文献】
【０００３】
【特許文献１】特開２０００−４２０２９号公報
【発明の概要】
【発明が解決しようとする課題】
【０００４】
しかし、上述の吸収性物品には、以下の問題点があった。
吸収性物品の折り線は、幅方向に延びており、吸収体を跨いで形成されている。一般的に、吸収体の厚さは、吸収性物品を構成する他の部材の厚さよりも厚い。当該吸収体を跨いで折り線が形成され、折り線の前後で厚さが変化していないため、吸収性物品が折り難い。更に、折り線の位置が安定し難く、折り畳まれた状態の吸収性物品の寸法にばらつきが生じることがある。吸収性物品を安定した位置で折り、小型化することができなかった。
【０００５】
本発明は、上述の課題に鑑みてなされたものであり、安定した位置で折り、小型化できる吸収性物品を提供することを目的とする。
【課題を解決するための手段】
【０００６】
本開示の吸収性物品は、着用者の股下域に対向し、かつ当該股下域から前方に延びる前胴周り域と、前記後胴周り域よりも後側に配置され、着用者の股下域に対向し、かつ当該股下域から後方に延びる後胴周り域と、前記前胴周り域と前記後胴周り域に跨って配置される吸収体と、を備え、前記吸収性物品の幅方向に沿った第１幅折り線を基点に折り畳まれた状態で、前記前胴周り域の外側縁と前記後胴周り域の外側縁とが接合され、前記前胴周り域の外側縁と前記後胴周り域の外側縁とが接合された状態で、前記吸収性物品の幅方向に沿った第２幅折り線を基点に折り畳まれる吸収性物品であって、前記吸収体の厚さは、前記第２幅折り線を境界として変化することを要旨とする。
【発明の効果】
【０００７】
本開示によれば、安定した位置で折り、小型化できる吸収性物品を提供することができる。
【図面の簡単な説明】
【０００８】
【図１】実施形態に係るショーツ型ナプキンの正面図である。
【図２】図１に示すショーツ型ナプキンの展開平面図である。
【図３】図２に示すＡ−Ａ断面の模式断面図である。
【図４】図２に示すＢ−Ｂ断面の模式断面図である。
【図５】吸収性本体の平面図である。
【図６】吸収性物品の折り畳み態様を説明するための図である。
【図７】変形例１に係る吸収性物品の折り畳み態様を説明するための図である。
【０００９】
（１）吸収性物品の全体構成
図１から図５を参照して、実施形態に係る吸収性物品の全体構成について説明する。本実施形態に係る吸収性物品１は、予めパンツ型に形成されたショーツ型ナプキン１である。なお、吸収性物品は、ショーツ型ナプキンに限られず、使い捨ておむつであってもよい。また、ショーツ型ナプキン１は、夜用のショーツ型ナプキンであってもよいし、昼用のショーツ型ナプキンであってもよい。  
【００１０】
図１は、実施の形態に係るショーツ型ナプキン１の正面図である。図２は、図１に示すショーツ型ナプキン１を展開した状態を示す展開平面図である。図２に示す展開平面図は、ショーツ型ナプキン１を構成する本体トップシート１１や本体バックシート１４等の皺が形成されない状態まで、伸縮性部材を伸長させた伸長状態の図である。図３は、図２に示すＡ−Ａ断面図である。図４は、図２に示すＢ−Ｂ断面図である。図５は、吸収性本体１０の平面図である。  
【００１１】
ショーツ型ナプキン１は、着用者の股下域に対向し、かつ股下域から前方に延びる前胴周り域Ｓ１と、後胴周り域よりも後側に配置され、着用者の股下域に対向し、かつ股下域から後方に延びる後胴周り域Ｓ２と、を有する。前胴周り域Ｓ１は、ショーツ型ナプキン１の前後方向Ｌにおける中心１ＬＣよりも前側の領域であり、後胴周り域Ｓ２は、ショーツ型ナプキン１の前後方向Ｌにおける中心１ＬＣよりも後側の領域である。
【００１２】
ショーツ型ナプキン１は、着用者の身体前側と身体後側とに延びる前後方向Ｌと、前後方向に直交する幅方向Ｗと、着用者に向かう肌対向面側Ｔ１及び肌対向面側と反対側に向かう非肌対向面側Ｔ２側に延びる厚み方向Ｔと、を有する。
【００１３】
ショーツ型ナプキン１は、吸収性本体１０と、シャーシ２０と、を備える。吸収性本体１０は、液透過性の本体トップシート１１と、液不透過性の本体フィルム１２と、本体トップシート１１と本体フィルム１２との間に配置される吸収体１３と、本体バックシート１４と、を備える。シャーシ２０は、吸収性本体１０よりも非肌対向面側Ｔ２に配置されており、外装トップシート２１と外装バックシート２２を有する。
【００１４】
図２に示す状態から、吸収性物品の幅方向に沿った第１幅折り線ＦＷ１を基点に前胴周り域Ｓ１と後胴周り域Ｓ２とが重なるように折り畳み、前胴周り域Ｓ１の外側縁（幅方向の外側端）と後胴周り域Ｓ２の外側縁とを接合することにより、図１に示すショーツ型ナプキンが形成される。前胴周り域Ｓ１の外側縁と後胴周り域Ｓ２の外側縁とが接合されるサイド接合部２９を、図１及び図２に示す。前胴周り域Ｓ１のサイド接合部２９を前サイド接合部２９１とし、後胴周り域Ｓ２のサイド接合部２９を後サイド接合部２９２とする。なお、本実施の形態において、第１幅折り線ＦＷ１とショーツ型ナプキン１の前後方向Ｌにおける中心１ＬＣとは一致しているが、第１幅折り線ＦＷ１とショーツ型ナプキン１の前後方向Ｌにおける中心１ＬＣとが前後方向にずれていてもよい。
【００１５】
本体トップシート１１は、吸収体１３よりも肌対向面側Ｔ１に位置する。本体トップシート１１には、不織布や開孔プラスチックフィルムなどの液透過性のシートなどが使用される。
【００１６】
本体フィルム１２は、吸収体１３よりも非肌対向面側Ｔ２であって、シャーシ２０よりも肌対向面側Ｔ１に配置される。本体フィルム１２には、液不透過性のシートなどが使用される。
【００１７】
吸収体１３は、本体トップシート１１及び本体フィルム１２の間に設けられ、着用者からの排泄物を吸収する。吸収体１３は、前胴周り域Ｓ１と後胴周り域Ｓ２に跨って配置される。吸収体１３には、粉砕パルプと高吸収性ポリマー粒子との混合物などが使用される。パルプの平均目付は、１００〜８００ｇ／ｍ２であり、高吸収性ポリマー粒子の平均目付は、０〜１００ｇ／ｍ２である。また、吸収体１３は、シート状になったエアレイドシートでもよい。
【００１８】
本実施の形態の吸収体の目付は、一定でない。吸収体１３は、吸収体の他の部位よりも目付けが低い低目付領域１６を有する（図５参照）。低目付領域１６は、吸収体の他の部位よりも吸収材料の目付けが低く構成されていればよく、吸収材料が配置されてない（目付が０である）スリットであってもよい。低目付領域１６は、ショーツ型ナプキンの前後方向の中心１ＬＣよりも後側において、吸収体１３の外側縁から幅方向Ｗの内側に延びる。
【００１９】
吸収体１３は、後述する一対の股下圧搾部８１に挟まれた領域に、周囲よりも目付が高い高目付領域１７が設けられている。また、吸収体１３は、高目付領域１７よりも目付が低く、かつ低目付領域１６よりも目付が高い中目付領域１８を有する。中目付領域の目付は、吸収体１３の他の部位（低目付領域、中目付領域及び高目付領域を除いた領域）の目付よりも低い。中目付領域１８は、高目付領域の前側と、一対の股下圧搾部８１の後側と、のそれぞれに設けられている。本実施の形態の高目付領域の目付は、６００ｇ／ｍ２であり、低目付領域の目付は、０ｇ／ｍ２であり、中目付領域の目付は、１５０ｇ／ｍ２であり、吸収体１３の他の部位（低目付領域、中目付領域及び高目付領域を除いた領域）の目付は、３００ｇ／ｍ２である。高目付領域１７の前端縁は、前側に位置する中目付領域１８の後端縁と一致し、かつ後述する前側外装トップシート２４の後端縁に一致する。高目付領域１７の後端縁は、ショーツ型ナプキン１の前後方向Ｌにおける中心１ＬＣよりも前側に位置する。なお、吸収体１３の目付は、一定であってもよい。図５において、高目付領域１７及び中目付領域１８に斜線を付して示す。
【００２０】
本体バックシート１４は、本体フィルム１２の非肌対向面側Ｔ２と、本体トップシート１１の肌対向面側Ｔ１と、の両方に配置される。本体バックシート１４の幅方向Ｗの中央部は、本体フィルム１２の非肌対向面側Ｔ２に配置される。本体バックシート１４の中央部よりも幅方向Ｗの外側は、本体フィルム１２の外側縁を起点に幅方向Ｗの内側に折り返され、本体トップシート１１の肌対向面側Ｔ１に配置される。本体バックシート１４には、不織布等のシートなどが使用される。
【００２１】
ショーツ型ナプキン１には、着用者の腰周りが挿入される腰周り開口部３１と、着用者の脚がそれぞれ挿入される一対の脚周り開口部３２と、が形成される。腰周り開口部３１は、シャーシ２０の前端縁２０Ｆ及びシャーシ２０の後端縁２０Ｒによって囲まれて形成されている。脚周り開口部３２の最も幅方向の内側に位置する部分は、ショーツ型ナプキン１の前後方向の中心１ＬＣよりも前側に位置する。  
【００２２】
シャーシ２０は、外装トップシート２１と、外装バックシート２２と、を有する。シャーシ２０を構成する外装トップシート２１の幅方向Ｗの長さ及び、外装バックシート２２との幅方向Ｗの長さは、吸収性本体１０の幅方向Ｗの長さよりも長い。  
【００２３】
外装トップシート２１は、少なくとも幅方向Ｗに伸縮する伸縮性を有する不織布からなる。外装バックシート２２は、外装トップシート２１の非肌対向面側Ｔ２に配置される。外装バックシート２２は、非伸縮性の不織布からなる。
【００２４】
外装トップシート２１は、前胴周り域Ｓ１側に位置する前側外装トップシート２４と、後胴周り域Ｓ２側に位置する後側外装トップシート２５と、を有する。前側外装トップシート２４と後側外装トップシート２５は、前後方向Ｌに離間している。外装バックシート２２は、前胴周り域Ｓ１及び後胴周り域Ｓ２に亘って設けられている。前側外装トップシート２４が配置された領域、及び後側外装トップシート２５が配置された領域は、幅方向Ｗに伸縮性を有する伸縮領域となる。前側外装トップシート２４は、少なくとも前胴周り域Ｓ１の一部に配置されていればよい。また、後側外装トップシート２５は、少なくとも後胴周り域Ｓ２の一部に配置されていればよい。また、伸縮領域と重なる吸収体１３には、後述する面状圧搾部が形成される。なお、本実施の形態において２つの部材が重なる状態とは、２つの部材が当接して重なった状態のみならず、２つの部材の間に他の部材が配置され、２つの部材が間接的に重なった状態を含むものである。
【００２５】
前側外装トップシート２４及び外装バックシート２２は、シャーシ２０の前端縁２０Ｆにおいて後側に折り返されている。前側外装トップシート２４及び外装バックシート２２が折り返された部分には、腰周り伸縮性部材２６が配置されている。
【００２６】
後側外装トップシート２５及び外装バックシート２２は、シャーシ２０の後端縁２０Ｒにおいて前側に折り返されている。後側外装トップシート２５及び外装バックシート２２が折り返された部分には、腰周り伸縮性部材２６が配置されている。
【００２７】
後側外装トップシート２５と外装バックシート２２との間には、脚周り伸縮性部材２７が配置されている。
【００２８】
吸収性本体１０は、本体トップシート１１及び吸収体１３が厚み方向に圧搾された圧搾部８０を有する。圧搾部８０が形成されているため、本体トップシート１１に排出された体液を、本体トップシート１１を介して吸収体１３に迅速に引き込むことができる。なお、圧搾部８０は、少なくとも吸収体１３が厚み方向に圧搾されていればよい。
【００２９】
圧搾部８０は、吸収性物品１の前後方向の中心１ＬＣから前後方向Ｌに延びる股下圧搾部８１と、股下圧搾部８１よりも後側に位置し、かつ股下圧搾部８１と離間して配置された点状の点状圧搾部８２と、前後方向Ｌに延びる一対の前側サイド圧搾部８４と、前後方向Ｌに延びる一対の後側サイド圧搾部８５と、吸収体１３の前端縁に配置された面状の前側面状圧搾部８６と、吸収体１３の後端縁に配置された面状の後側面状圧搾部８７と、を有する。
【００３０】
一対の股下圧搾部８１の間隔は、股下圧搾部８１の後端縁８１Ｒに向かうにつれて短く、かつ圧搾部８０の前端縁８１Ｆに向かうにつれて短くなっている。また、一対の股下圧搾部８１は、股下圧搾部８１の前端縁８１Ｆにおいて連なり、かつ股下圧搾部８１の後端縁８１Ｒにおいて連なっている。よって、本実施の形態の一対の股下圧搾部８１は、一体化しており、平面視にて環状である。なお、一対の股下圧搾部８１は、離間して配置されていてもよいし、平面視にて環状でなくてもよい。
【００３１】
股下圧搾部８１は、前後方向Ｌに連続した領域と、前後方向Ｌに不連続の領域と、を有する。前後方向Ｌに不連続の領域は、吸収体等が厚み方向に圧搾されていない。股下圧搾部８１は、部分的に圧搾されていない領域を有していてもよいし、前後方向Ｌに連続していてもよい。また、一対の股下圧搾部８１によって囲まれた領域には、幅方向Ｗに延びる圧搾部が形成されていない。
【００３２】
股下圧搾部８１の後端縁８１Ｒは、後サイド接合部２９２の前端縁２９２Ｆよりも前側に位置する。股下圧搾部８１の前端縁８１Ｆは、前サイド接合部２９１の後端縁２９１Ｒよりも前側に位置する。
【００３３】
股下圧搾部８１の後端縁８１Ｒの幅方向Ｗの外側には、低目付領域１６が形成されている。本実施の形態では、股下圧搾部８１の後端縁８１Ｒの幅方向Ｗの両外側に、それぞれ低目付領域１６が形成されている。低目付領域１６は、後サイド接合部２９２よりも前側に位置する。低目付領域１６は、幅方向Ｗの内側に向かって延びており、当該低目付領域１６が延びる方向は、幅方向Ｗに対して傾斜している。より詳細には、低目付領域１６は、幅方向Ｗの内側に向かうにつれて後方に延びる。
【００３４】
点状圧搾部８２は、平面視にて点状の圧搾部である。各点状圧搾部８２は、間隔を空けて配置されている。点状圧搾部８２は、吸収体１３の幅方向Ｗの中央部に形成されず、吸収体１３の幅方向Ｗの両外端部に形成されている。
【００３５】
股下圧搾部８１の幅方向Ｗの外側には、一対の前側サイド圧搾部８４と、一対の後側サイド圧搾部８５と、が形成されている。前側サイド圧搾部８４は、股下圧搾部８１と離間している。後側サイド圧搾部８５は、股下圧搾部８１と離間し、かつ点状圧搾部８２と離間している。
【００３６】
前側面状圧搾部８６は、吸収体１３の前端縁から後方に延びる一定範囲に形成される。図２において、前側面状圧搾部８６が形成された領域に斜線を付して示す。前側面状圧搾部８６の後端縁は、前側サイド圧搾部８４よりも前方、股下圧搾部８１の前端縁８１Ｆよりも後方、かつ高目付領域１７よりも前方に位置する。前側面状圧搾部８６は、吸収体１３の幅方向Ｗ全域に亘って、図２において斜線を付した領域全体の吸収体１３が厚み方向に圧縮されている。よって、前側面状圧搾部８６が形成された領域の吸収体１３の厚さは、前側面状圧搾部８６が形成された領域に対して後側で隣接する領域の吸収体１３の厚さよりも薄い。本実施の形態の面状圧搾部（前側面状圧搾部８６及び後側面状圧搾部８７）は、熱エンボスロールによって形成される。面状圧搾部は、点状や線状の圧搾部でなく、平面視において一定の範囲を有する面全体が圧搾された圧搾部である。  
【００３７】
後側面状圧搾部８７は、吸収体１３の後端縁から前方に延びる一定範囲に形成される。図２において、後側面状圧搾部８７が形成された領域に斜線を付して示す。後側面状圧搾部８７の前端縁は、股下圧搾部８１の後端縁８１Ｒよりも後方、かつ中目付領域１８の後端縁よりも後方に位置する。後側面状圧搾部８７は、点状圧搾部と同様に、吸収体１３の幅方向Ｗの中央部に形成されてなく、吸収体１３の幅方向Ｗの両外端部に形成されている。点状圧搾部８２は、後側面状圧搾部８７が形成された領域内に形成されている。図２において斜線を付した領域全体の吸収体１３が厚み方向に圧縮されている。よって、後側面状圧搾部８７が形成された領域の吸収体１３の厚さは、後側面状圧搾部８７が形成された領域に対して前側で隣接する領域の吸収体１３の厚さよりも薄い。
【００３８】
また、前側面状圧搾部８６の後端縁と、後側面状圧搾部８７の前端縁とのそれぞれは、後述する第２幅折り線ＦＷ２（図４，図６参照）と一致する。なお、本実施の形態において、前側面状圧搾部８６の後端縁と第２幅折り線ＦＷ２と一致する状態、及び後側面状圧搾部８７の前端縁と第２幅折り線ＦＷ２と一致する状態とは、前後方向Ｌの位置がずれなく一致する状態のみならず、前後方向Ｌのずれが２０ｍｍ以下を含む概念である。前胴周り域Ｓ１における第２幅折り線ＦＷ２よりも前側の厚さは、第２幅折り線ＦＷ２よりも後側の厚さと異なり、第２幅折り線ＦＷ２よりも後側の厚さよりも薄くなる。また、後胴周り域Ｓ２における第２幅折り線ＦＷ２よりも後側の厚さは、第２幅折り線ＦＷ２よりも前側の厚さと異なり、第２幅折り線ＦＷ２よりも前側の厚さよりも薄くなる。  
【００３９】
本実施の形態において、吸収体１３の目付は、以下の方法で測定できる。目付を測定する部分を吸収性物品から切り出し、本体トップシート及び本体フィルム等、吸収体１３以外の部分を取り除き、吸収体１３の重量を測定する。吸収体１３の重量と目付を測定する部分の面積とに基づいて目付を算出する。
【００４０】
吸収性物品の厚さは、例えば、以下の方法によって測定できる。尾崎製作所（株）製のダイアルゲージ ＰＥＡＣＯＣＫを使用し、測定子には直径２０ｍｍのものを採用し、大きさが３０ｍｍ×３０ｍｍの試片を用意して、当該試片の厚みを測定する。測定器は、試片に対する測定圧が３ｇ／ｃｍ２となるように調整する。
【００４１】
（２）吸収性物品の折り畳み態様
次いで、図６に基づいて、吸収性物品１の折り畳み態様について、説明する。図６（ａ）は、第１幅折り線ＦＷ１基点に折り畳まれた状態の吸収性物品１である。吸収性物品１は、予めパンツ型に成形されている。また、図６（ａ）は、吸収性物品１の後胴周り域Ｓ２を正面に配置した状態を示している。
【００４２】
図６（ａ）に示す状態から、吸収性物品１のサイド接合部２９は、前後方向Ｌに沿った前後折り線としての第１前後折り線ＦＬ１及び第２前後折り線ＦＬ２を基点に後胴周り域Ｓ２側へ幅方向Ｗの内側に折り畳まれる。第１前後折り線ＦＬ１及び第２前後折り線ＦＬ２は、吸収体１３の外側縁と一致、又は吸収体１３の外側縁よりも幅方向Ｗの外側に位置する。折り畳まれた状態において、後胴周り域Ｓ２側が内側になり、前胴周り域Ｓ１側が外側に位置する。図６（ｂ）は、吸収性物品１が前後折り線ＦＬ１、ＦＬ２を基点に折り畳まれた状態を示している。
【００４３】
次いで、図６（ｂ）に示す状態から、吸収性物品１は、幅方向Ｗに沿った第２幅折り線ＦＷ２を基点に前後方向Ｌに折り畳まれる。第２幅折り線ＦＷ２は、前胴周り域の外側縁と後胴周り域の外側縁とが接合された状態で形成されている折り目（吸収性物品１の前後方向の中心を通る折り目）ではなく、前胴周り域の外側縁と後胴周り域の外側縁とが接合された状態で、吸収性物品が更に折り畳まれる際に形成される折り目である。第２幅折り線ＦＷ２を基点に折り畳まれた状態において、吸収性物品１の前後方向Ｌの中心１ＬＣは、吸収性物品１の腰周り開口部３１と重なる。図６（ｃ）は、吸収性物品１が第２幅折り線ＦＷ２を基点に折り畳まれた状態を示している。このように折り畳まれることにより、吸収性物品１を小型化できる。
【００４４】
また、吸収体１３の厚さは、第２幅折り線ＦＷ２を境界として変化している。より詳細には、吸収性物品１が第２幅折り線ＦＷ２を基点に折り畳まれる前の状態において、第２幅折り線ＦＷ２よりも前後方向Ｌの一方側に位置する吸収体の厚さは、第２幅折り線ＦＷ２よりも前後方向Ｌの他方側に位置する吸収体の厚さと異なる。なお、第２幅折り線ＦＷ２よりも前後方向Ｌの一方側に位置する吸収体全体において、第２幅折り線ＦＷ２よりも前後方向Ｌの他方側に位置する吸収体の厚さと異なる状態のみならず、第２幅折り線ＦＷ２よりも前後方向Ｌの一方側に位置する吸収体の一部において、第２幅折り線ＦＷ２よりも前後方向Ｌの他方側に位置する吸収体の厚さと異なる状態を含む概念である。
【００４５】
本実施の形態の吸収性物品１は、第２幅折り線ＦＷ２よりも腰周り開口部３１側に位置する吸収体１３の厚さが、第２幅折り線ＦＷ２よりも吸収性物品１の前後方向Ｌの中心１ＬＣ側に位置する吸収体１３の厚さよりも薄い。なお、吸収性物品１は、第２幅折り線ＦＷ２よりも腰周り開口部側に位置する吸収体１３の厚さが、第２幅折り線ＦＷ２よりも吸収性物品１の前後方向Ｌの中心１ＬＣ側に位置する吸収体１３の厚さよりも厚く構成されていてもよい。
【００４６】
また、吸収性物品の厚さが第２幅折り線ＦＷ２を境界として変化する状態とは、吸収性物品の厚さが変化する境界と第２幅折り線ＦＷ２とがずれなく一致する状態のみならず、前後方向Ｌのずれが２０ｍｍ以下を含む概念である。また、本実施の形態では、前胴周り域Ｓ１の吸収体１３の厚さが第２幅折り線ＦＷ２を境界として変化し、かつ後胴周り域Ｓ２の吸収体１３の厚さが第２幅折り線ＦＷ２を境界として変化しているが、前胴周り域Ｓ１の吸収体１３の厚みのみが第２幅折り線ＦＷ２を境界として変化していてもよいし、後胴周り域Ｓ２の吸収体１３の厚みのみが第２幅折り線ＦＷ２を境界として変化していてもよい。
【００４７】
また、このように折り畳まれた吸収性物品を展開した（図６（ａ）に示す）状態において、前胴周り域Ｓ１の吸収体１３は、第２幅折り線ＦＷ２を基点に肌対向面側Ｔ１から非肌対向面側Ｔ２に向かって凸状に変形する。後胴周り域Ｓ２の吸収体１３は、第２幅折り線ＦＷ２を基点に非肌対向面側Ｔ２から肌対向面側Ｔ１に向かって凸状に変形する。第１前後折り線ＦＬ１と第２前後折り線ＦＬ２の間の領域には、吸収体１３が配置されている。第１前後折り線ＦＬ１と第２前後折り線ＦＬ２の間の領域は、第２幅折り線ＦＷ２を基点に折り畳まれた状態で、後胴周り域Ｓ２側が内側になり、前胴周り域Ｓ１側が外側に位置する。よって、前胴周り域Ｓ２の吸収体１３には、肌対向面側Ｔ１から凹む谷折線が形成され、前胴周り域Ｓ１の吸収体１３には、肌対向面側Ｔ１に向かって突出する山折線が形成される。
【００４８】
前胴周り域Ｓ１の第２幅折り線ＦＷ２と後胴周り域Ｓ２の第２幅折り線ＦＷ２とのうち少なくともいずれが一方は、股下圧搾部８１に形成されない。本実施の形態の吸収性物品は、前胴周り域Ｓ１の第２幅折り線ＦＷ２が股下圧搾部８１に形成され、後胴周り域Ｓ２の第２幅折り線ＦＷ２が股下圧搾部８１に形成されずに、股下圧搾部８１の後端縁８１Ｒよりも後方に位置する。なお、前胴周り域Ｓ１の第２幅折り線ＦＷ２が股下圧搾部８１に形成されずに、後胴周り域Ｓ２の第２幅折り線ＦＷ２が股下圧搾部８１に形成されていてもよいし、前胴周り域Ｓ１の第２幅折り線ＦＷ２が股下圧搾部に形成され、後胴周り域Ｓ２の第２幅折り線ＦＷ２と前胴周り域Ｓ１の第２幅折り線ＦＷ２の両方が股下圧搾部８１に形成されないように構成されていてもよい。
【００４９】
（３）作用・効果
吸収体１３の厚さは、第２幅折り線ＦＷ２を境界として変化する。よって、第２幅折り線ＦＷ２を基点に吸収性物品を折る際に、厚さが変化する境界を基点に折ることができ、折り位置が安定する。また、吸収性物品を折る際は、厚さが比較的薄い側が、厚さが比較的厚い側の厚み方向に沿い、次いで、厚さが比較的薄い側が、厚さが比較的厚い側に被るように折れる。折り畳まれた後の吸収性物品の厚さが均一になり易く、小型化できる。よって、使用者は、小型化された吸収性物品を簡便に携帯できる。
【００５０】
後胴周り域Ｓ２の吸収体１３には、肌対向面側Ｔ１に向かって突出する山折線によって着用者側に凸状の折り癖が形成されるため、後胴周り域Ｓ２の凸状部分が着用者の身体にフィットする。よって、後漏れを抑制できる。例えば、使い捨ておむつとしての吸収性物品には、一般的に、後胴周り域Ｓ２に便を収容するためのポケットが形成される。よって、後胴周り域Ｓ２が着用者の身体にフィットすると、便を収容する空間がなく、身体にフィットすると漏れの原因となる。これに対して、ショーツ型ナプキンとしての吸収性物品は、経血の後側への伝え漏れを防止することが求められている。ナプキンは、経血が本体トップシート１１から吸収体１３に移動する。後胴周り域Ｓ２が着用者の身体にフィットすることにより、体トップシート１１側から吸収体１３に体液が移動し易くなり、後漏れを抑制できる。
【００５１】
一方、前胴周り域Ｓ１の吸収体１３には、非肌対向面側Ｔ２に向かって凹む谷折線によって着用者側に凹む折り癖が形成される。前胴周り域Ｓ１は、お尻の割れ目による経血の漏れがなく、着用者に密着して配置されていなくてもよい。前胴周り域Ｓ１が着用者にフィットし過ぎないことにより、着用者の肌と吸収性物品との摩擦を低減し、装着感を向上できる。
【００５２】
後胴周り域Ｓ２における第２幅折り線ＦＷ２よりも後側の厚さは、後胴周り域Ｓ２における第２幅折り線ＦＷ２よりも前側の厚さよりも薄い。よって、着用者の背側に当たる部分は、厚み方向に膨らみ難く、着用者の身体にフィットさせることができる。吸収性物品１が着用された際の装着感を向上でき、またフィット性を向上することにより、後漏れを防止できる。
【００５３】
一般的に、後胴周り域Ｓ２の面積は、臀部を覆うために、前胴周り域Ｓ１の面積よりも広い。そのため、サイド接合部２９が接合された状態で後胴周り域Ｓ２が前胴周り域Ｓ１よりも延出して配置される。例えば、前後折り線ＦＬ１、ＦＬ２を基点にサイド接合部を前胴周り域Ｓ１側に折り畳む際に、折り畳む面積が少ないと、後胴周り域Ｓ２が前胴周り域Ｓ１よりも延出した部分を適切に折れないことがある。しかし、サイド接合部２９を後胴周り域Ｓ２側に折り畳むことにより、折り畳む面積が少ない場合においても、適切に折ることができる。よって、安定した位置で折り、小型化できる。
【００５４】
前胴周り域Ｓ１の第２幅折り線ＦＷ２と後胴周り域Ｓ２の第２幅折り線ＦＷ２とのうち少なくともいずれか一方が股下圧搾部に形成されないため、第２幅折り線ＦＷ２が硬くなることを抑制できる。また、後胴周り域Ｓ２の第２幅折り線ＦＷ２が股下圧搾部８１に形成されてないため、着用者の身体にフィットする後胴周り域Ｓ２の第２幅折り線ＦＷ２が硬くなり過ぎないため、装着感の悪化を抑制できる。
【００５５】
伸縮領域と重なる吸収体１３には、厚み方向に面状に圧搾された前側面状圧搾部８６及び後側面状圧搾部８７が形成されている。前後折り線ＦＬ１、ＦＬ２を基点に吸収性物品を折る際は、吸収体１３の外側縁に沿って折ることができる。しかし、前胴周り域Ｓ１を構成するシートが伸縮性を有する場合、当該シートの伸縮性によって伸縮領域と重なる吸収体１３の幅が、伸縮領域と重ならない吸収体１３の幅よりも短くなることがある。伸縮領域と重なる吸収体１３の幅が、伸縮領域と重ならない吸収体１３の幅よりも短い状態で前後折り線ＦＬ１、ＦＬ２を基点に吸収性物品を折ると、吸収体１３の外側縁が前後方向Ｌに沿わないため、折り位置が安定しないことがある。しかし、面状圧搾部によって吸収体１３の剛性が高くなるため、当該シートの伸縮性によって伸縮領域と重なる吸収体１３の幅が短くなることを抑制できる。よって、伸縮領域と重なる吸収体１３の幅と伸縮領域と重ならない吸収体１３の幅とを略同じ状態で維持することができ、前後折り線ＦＬ１、ＦＬ２を基点に吸収性物品を折る際の折り位置が安定する。その結果、安定した位置で折り、コンパクトにできる。
【００５６】
また、吸収体１３に面状圧搾部を形成することにより、吸収体１３の剛性が高くなる。そのため、吸収体１３の厚みを薄くして蒸れを抑制した場合であっても、よれを抑制できる。
【００５７】
本実施の形態の面状圧搾部は、熱エンボスロールによって形成される。吸収体を熱エンボスロールによって圧縮することにより、当該面状圧搾部を形成した領域の厚さを薄く形成できる。例えば、吸収体の厚さが比較的厚い場合には、折り畳んだ後に吸収体の行き場がなくなり、折り位置が安定しないことがある。しかし、熱エンボスロールによって吸収体を高密度化することにより、面状圧搾部を形成した領域と、面状圧搾部を形成していない領域と、に剛性差が生じる。例えば、機械で吸収性物品を折る際に、剛性差が生じる部分で吸収性物品を折り易くなり、毎回決まった位置で折るこができる。それによって、折り畳まれる吸収体の長さを一定にすることができ、吸収体の折り目を安定させ、折り目が意図せず斜めになることを防止できる。また、吸収性物品を折り畳む前に、熱エンボスロールによって吸収体の厚さを薄くすることにより、折り畳まれた吸収性物品の厚みを薄くできる。また、後側面状圧搾部が形成された領域には、点状圧搾部８２が形成されているため、面状圧搾部と点状圧搾部とによって更に吸収体１３の剛性が高くなり、面状圧搾部等による剛性差を基点とした折り位置が安定する。
【００５８】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５９】
変形例に係る吸収性物品は、パンツ型に成形された状態で、吸収性物品１が前後折り線ＦＬ１、ＦＬ２を基点に折り畳まれずに、第２幅折り線ＦＷ２を基点にのみ折り畳まれていてもよい。パンツ型に成形された状態で第２幅折り線ＦＷ２を基点にのみ吸収性物品を折り畳むことによっても、吸収性物品の前後方向Ｌのサイズを小さくでき、小型化することができる。また、吸収性物品は、複数の第２幅折り線ＦＷ２を基点に複数回折り畳まれていてもよい。
【００６０】
また、図７に、変形例に係る吸収性物品を示す。吸収性物品１は、包装シート１００によって個別に包装される。変形例に係る吸収性物品１の包装シート１００は、吸収性物品の前後折り線ＦＬ１、ＦＬ２と平行のシート前後折り線ＦＬ１０１、ＦＬ１０２を基点に折り畳まれている。包装シート１００をシート前後折り線ＦＬ１０１、ＦＬ１０２を折り畳む際には、吸収性物品１の前後折り線ＦＬ１、ＦＬ２を基点に折り畳む。より詳細には、図６（ｃ）に示すように折り畳まれた吸収性物品１を、吸収性物品１の前後方向Ｌに連続する包装シート１００上に配置する。包装シートの搬送方向（吸収性物品の前後方向に沿う方向）と直交する直交方向（吸収性物品の幅方向に沿う方向）の外側端部には、包装シートの直交方向の外側端部同士を接合する接着剤が塗布されている。この状態で包装シートを吸収性物品１の前後折り線ＦＬ１、ＦＬ２を基点に折り畳み、包装シートの直交方向の外側端部同士を接合する。次いで、包装シートの前後方向の外側端部を熱溶着等によって接合する。包装シートの前後方向の外側端部において、包装シートを直交方向に沿って切断することにより、図７（ａ）に示すように、包装シートによって個別に包装された吸収性物品を形成できる。
【００６１】
吸収性物品１の前後折り線ＦＬ１、ＦＬ２と包装シート１００のシート前後折り線ＦＬ１０１、ＦＬ１０２とは、一致している。吸収性物品が包装シートによって包装されていない構成においては、吸収性物品が折り線（前後折り線及び幅折り線ＦＷ）での反発により展開するおそれがある。しかし、包装シートによって包装されているため、吸収性物品が折り線での反発により展開することを抑制できる。また、吸収性物品のみならず包装シートにも折り線による折り癖が形成されるため、折り畳み状態を安定させることができる。
【符号の説明】
【００６２】
１        ：ショーツ型ナプキン
１ＬＣ    ：ナプキンの前後方向の中心
１０      ：吸収性本体
１１      ：本体トップシート
１２      ：本体フィルム
１３      ：吸収体
１４      ：本体バックシート
１６      ：低目付領域
１７      ：高目付領域
１８      ：中目付領域
２０      ：シャーシ
２１      ：外装トップシート
２２      ：外装バックシート
２４      ：前側外装トップシート
２５      ：後側外装トップシート
２６      ：腰周り伸縮性部材
２７      ：脚周り伸縮性部材
２９      ：サイド接合部
２９１    ：前サイド接合部
２９２    ：後サイド接合部
３１      ：腰周り開口部
３２      ：脚周り開口部
８０      ：圧搾部
８１      ：股下圧搾部
８２      ：点状圧搾部
８４      ：前側サイド圧搾部
８５      ：後側サイド圧搾部
８６      ：前側面状圧搾部
８７      ：後側面状圧搾部
Ｓ１      ：前胴周り域
Ｓ２      ：後胴周り域
Ｌ        ：前後方向
Ｔ        ：厚み方向
Ｗ        ：幅方向
【図１】
0006006289.tif 000002
【図２】
0006006289.tif 000003
【図３】
0006006289.tif 000004
【図４】
0006006289.tif 000005
【図５】
0006006289.tif 000006
【図６】
0006006289.tif 000007
【図７】
0006006289.tif 000008